(57)【要約】【課題】パソコンでの文書入力作業時などにおいて、画面の端を見つめ続けることや、変換モードに切換忘れたりすることや、誤った入力をしたりすることによる作業効率の悪化は、仕上がり時間の長時間化や、目や指などの不具合といった健康不良の原因となっていた。【解決手段】文書構成内の入力カーソルの位置を移動せずに画面の表示位置を移動する機能と、予め設定されたキー入力の配列により、変換候補を提示する変換機能と、登録されている誤り候補に関連付けられた正しいと思われる変換候補の提示手段を有することを特徴とする。【選択図】  図１
2008158757.tif 000002
【特許請求の範囲】
【請求項１】
カーソル表示手段を有する表示装置において、表示装置に表示されている作成物内のカーソルの位置を表示装置の任意の位置に移動して表示することを特徴とする方法およびプログラム。
【請求項２】
任意の入力手段を有する表示装置において、任意のキー操作により表示画面の移動を行うことを特徴とする請求項１記載の方法およびプログラムおよび入力手段。
【請求項３】
キーボード上の任意のキー操作により表示画面の移動を行うことを特徴とする請求項２記載の方法およびプログラムおよびキーボード。
【請求項４】
マウスの任意の操作により表示画面の移動を行うことを特徴とする請求項２記載の方法およびプログラムおよびマウス。
【請求項５】
専用ボタンにより表示画面の移動を行うことを特徴とする請求項２から4記載の方法およびプログラムおよび入力手段およびマウスおよびキーボード。
【請求項６】
移動後の位置が画面上部付近もしくは画面左上部付近であることを特徴とする請求項１から５記載の方法およびプログラムおよび入力手段。
【請求項７】
移動後の位置が画面右部付近もしくは画面右上部付近であることを特徴とする請求項１から５記載の方法およびプログラムおよび入力手段。
【請求項８】
移動後の位置が画面中央部もしくは画面中央部付近であることを特徴とする請求項１から５記載の方法およびプログラムおよび入力手段。
【請求項９】
現在のカーソル位置が表示画面から外れない範囲で、任意の行数もしくは任意の距離の表示画面を移動することを特徴とする請求項１から８記載の方法およびプログラムおよび入力手段。
【請求項１０】
変換モードがアクティブである状態が常であることを特徴とする入力文字変換方法およびプログラム。
【請求項１１】
入力キーを常に監視し、入力されたキー配列が予め登録された任意のキー配列と合致する場合、変換モードが起動することを特徴とする入力文字変換方法およびプログラム。
【請求項１２】
入力キーを常に監視し、入力されたキー配列が予め登録された任意のキー配列と合致する場合、対応する変換候補を表示することを特徴とする入力文字変換方法およびプログラム。
【請求項１３】
予め登録されたキー配列は、名詞や動詞、修飾語などの単語およびその頭文字から数文字分の変換候補入力キーであることを特徴とする請求項１１および１２記載の方法およびプログラム。
【請求項１４】
文字変換前のキー入力誤り時に、変換動作を行う際、正しいと思われる変換候補を同時に表示することを特徴とする入力文字変換方法およびプログラム。
【請求項１５】
文字変換時に入力した文字列を変換後の次の操作で直前に変換した文字をすべて削除した後、次に入力した文字列を変換した文字列を次の動作で削除することなく継続して入力変換作業を繰り返した場合、始に入力した文字列と次に入力した文字列の間に一定水準以上の相似性が見られる時は、入力誤り候補として後で表示すると共に、次回以降の入力誤り時に、今回、次に確定した文字も変換候補として表示するかどうかを確認することを特徴とする入力文字変換方法およびプログラム。
【発明の詳細な説明】
【技術分野】
【０００１】
本発明は、パソコンなどで文章を作成する際などにおける、表示画面のスライドおよび入力文字の変換の方法などに関するものである。
【背景技術】
【０００２】
従来のパソコンなどにおいて文章を作成する際、例えば画面の左上端から横書きで文章の入力を始め、何行か書き進むと、すぐ画面の下部へ到達し、それ以後はずっと画面の下部に張り付いたカーソルめがけて文章を入力していくこととなるため、長時間の入力の際等、視線が常に下向きとなるため姿勢が悪くなるなど、ストレスのたまる作業となっていました。
また、従来のパソコンなどにおいて文章を日本語で入力する際には、入力するアプリケーションソフトを起動すると共に、日本語への文字変換については文字変換ソフトを変換モードに切り替える必要がありました。
【０００３】
しかし、このような構成では、入力するアプリケーションソフトを起動するたびに文字変換ソフトの変換モードを切り替える必要があり、多くのアプリケーションソフトを開いて作業を行う際などは、切換作業が煩雑となり、変換モードに切替える作業を忘れて本文を入力してしまうといった誤入力も大変多くなり、使い勝手の悪いものとなっておりました。
【０００４】
また、従来のパソコンなどにおいて日本語による文章などを入力する際には、ローマ字入力方式や、キーボード上に直接割り振られた平仮名を入力してゆくカナ入力方式が用いられていましたが、入力時には入力誤りがつきもので、更に、入力者によって、癖のように、同じような誤りが頻繁に発生するものでありましたが、なかなか矯正が効かず、毎回過ちを繰り返してしまっていました。
【０００５】
上記の様に、パソコンを用いて文章を入力する作業には、表示画面などの機器の構成や日本語入力変換ソフトなどの機能の制約のため、作業性が悪く健康にも好ましくない姿勢を強要するなどといった大きな課題となっていました。
【０００６】
この改善策として、入力時に目を離したり他の画面に切替えた時などに見失いがちなカーソルの位置を分かり易くするための方法などが考案されていた。
【特許文献１】特願２０００−３７９８６１広報
【発明の開示】
【発明が解決しようとする課題】
【０００７】
解決しようとする問題点は、パソコンなどを使用したワープロ作業時の不便で不具合な点である。
【課題を解決するための手段】
【０００８】
本発明は、カーソル表示手段を有する表示装置において、表示装置に表示されている作成物内のカーソルの位置を表示装置の任意の位置に移動して表示することを特徴とする方法またはプログラムを提供することにより、上記従来の課題を解決したものである。また、更に任意の入力手段を有する表示装置において、任意のキー操作により表示画面の移動を行うことを特徴とする方法またはプログラムまたは入力手段としたものである。また、更にキーボード上の任意のキー操作により表示画面の移動を行うことを特徴とする方法またはプログラムまたはキーボードとしたものである。また、更にマウスの任意の操作により表示画面の移動を行うことを特徴とする方法またはプログラムまたはマウスとしたものである。
【０００９】
また、更に専用ボタンにより表示画面の移動を行うことを特徴とする方法またはプログラムまたは入力手段またはマウスまたはキーボードとしたものである。
また、更に移動後の位置が画面上部付近もしくは画面左上部付近であることを特徴とする方法またはプログラムまたは入力手段としたものである。また、更に移動後の位置が画面右部付近もしくは画面右上部付近であることを特徴とする方法またはプログラムまたは入力手段としたものである。また、更に移動後の位置が画面中央部もしくは画面中央部付近であることを特徴とする方法またはプログラムまたは入力手段としたものである。また、更に現在のカーソル位置が表示画面から外れない範囲で、任意の行数もしくは任意の距離の表示画面を移動することを特徴とする方法またはプログラムまたは入力手段としたものである。
【００１０】
また、本発明は、変換モードがアクティブである状態が常であることを特徴とする入力文字変換方法またはプログラムを提供することにより上記従来の課題を解決したものである。また、更に入力キーを常に監視し、入力されたキー配列が予め登録された任意のキー配列と合致する場合、変換モードが起動することを特徴とする入力文字変換方法またはプログラムとしたものである。また、更に入力キーを常に監視し、入力されたキー配列が予め登録された任意のキー配列と合致する場合、対応する変換候補を表示することを特徴とする入力文字変換方法またはプログラムとしたものである。また、更に予め登録されたキー配列は、名詞や動詞、修飾語などの単語およびその頭文字から数文字分の変換候補入力キーであることを特徴とする方法またはプログラムとしたものである。
【００１１】
また、本発明は、文字変換前のキー入力誤り時に、変換動作を行う際、正しいと思われる変換候補を同時に表示することを特徴とする入力文字変換方法またはプログラムを提供することにより上記従来の課題を解決したものである。また、更に文字変換時に入力した文字列を変換後の次の操作で直前に変換した文字をすべて削除した後、次に入力した文字列を変換した文字列を次の動作で削除することなく継続して入力変換作業を繰り返した場合、始に入力した文字列と次に入力した文字列の間に一定水準以上の相似性が見られる時は、入力誤り候補として後で表示すると共に、次回以降の入力誤り時に、今回、次に確定した文字も変換候補として表示するかどうかを確認することを特徴とする入力文字変換方法またはプログラムとしたものである。
【発明の効果】
【００１２】
本発明の表示画面上のカーソル表示位置の移動および入力文字変換における誤り防止用機器またはその方法またはプログラムによれば、パソコンなどで文書を作成する最の文字変換入力時の作業を効率化すると共に、表示画面の下方向に固定されたいた入力作業者の入力時の目線を上方向に持ってこれるため、作業効率が上がると共に姿勢を正すことが出来、人体の健康面での改善も図ることが出来る。
【発明を実施するための最良の形態】
【００１３】
文書構成内の入力カーソルの位置を移動せずに画面の表示位置を移動する機能と、予め設定されたキー入力の配列により、変換候補を提示する変換機能と、登録されている誤り候補に関連付けられた正しいと思われる変換候補の提示手段を有することを特徴とする画面移動手段と文字変換手段を有するプログラム。
【産業上の利用可能性】
【００１４】
パソコン上のソフトやインターネット上での文字入力に関する方法やプログラムや入力機器として利用可能である。
【図面の簡単な説明】
【００１５】
【図１】表示画面の変化例の図
【符号の説明】
【００１６】
１  カーソル
【図１】
2008158757.tif 000003